(57)【要約】【課題】引越し作業時好適な食器類の梱包方法並びに梱包具に係り、特に、ゴミの発生をなくし、かつ梱包作業性を高める。【解決手段】梱包具１０は、長尺状の布地製袋体１１からなり、複数のポケット１２ａ〜１２ｉが直列状、あるいは千鳥状に配列されている。直列状のポケット１２ａ〜１２ｅについては、隣接して収容する食器類２０の表裏を交互に逆転させて収容し、各ポケット１２の仕切用縫製部１４ａ〜１４ｄを基に交互方向に折り返し操作することで、最終的に食器類２０の表裏を統一させた状態でコンパクトに梱包処理を行なう。また、ポケット１２ｆ〜１２ｉを千鳥状に配列した場合は、食器類２０の表裏を統一した状態で収容し、最終的にポケット１２ｆ〜１２ｉを重ね合わせて折り返した場合、食器類２０の表裏の向きを統一させた状態でのコンパクトな梱包が可能となる。【選択図】  図１
2004262526.tif 000002
【特許請求の範囲】
【請求項１】
複数のポケット（１２ａ〜１２ｅ）を直列状に配設してなる長尺状の布地製袋体（１１）のポケット（１２ａ〜１２ｅ）内にセット組の食器類（２０ａ〜２０ｅ）を収容する際、隣接するポケット（１２ａ〜１２ｅ）には、食器類（２０ａ〜２０ｅ）の表裏を逆にして収容し、その後、ポケット（１２ａ〜１２ｅ）同士を区画する仕切用縫製部（１４ａ〜１４ｄ）を基に折り畳み方向を正逆方向にしてポケット（１２ａ〜１２ｅ）を順次折り重ねていき、収容する食器類（２０ａ〜２０ｅ）の表裏の方向を統一してコンパクトに収容することを特徴とする食器類の梱包方法。
【請求項２】
複数のポケット（１２ｆ〜１２ｉ）を千鳥状に配設してなる布地製袋体（１１）のポケット（１２ｆ〜１２ｉ）内にセット組の食器類（２０ｆ〜２０ｉ）の表裏を同一方向に向けて収容し、その後、千鳥状に配設されたポケット（１２ｆ〜１２ｉ）が直列状になるように、布地製袋体（１１）の短手方向に折半し、その後、仕切用縫製部（１４ｅ〜１４ｈ）を基に、各ポケット（１２ｆ〜１２ｉ）を順次折り畳み方向を正逆方向として折り重ねていき、収容する食器類（２０ｆ〜２０ｉ）の表裏の方向を統一してコンパクトに収容することを特徴とする食器類の梱包方法。
【請求項３】
セット組の食器類（２０ａ〜２０ｅ）をコンパクトに収容できる食器類（２０ａ〜２０ｅ）の梱包具（１０）であって、この梱包具（１０）は、２枚の布地シートの周縁部（１１ａ）が縫製された長尺状の布地製袋体（１１）から構成され、この布地製袋体（１１）には、直列状に配列するポケット（１２ａ〜１２ｅ）が設定され、かつ各ポケット（１２ａ〜１２ｅ）には食器類（２０ａ〜２０ｅ）を差し込むための開口（１３ａ〜１３ｅ）が設けられていることを特徴とする食器類の梱包具。
【請求項４】
セット組の食器類（２０ｆ〜２０ｉ）をコンパクトに収容できる食器類（２０ｆ〜２０ｉ）の梱包具（１００）であって、この梱包具（１００）は、２枚の布地シートの周縁部（１１ａ）が縫製された長尺状の布地製袋体（１１）から構成され、この布地製袋体（１１）には、千鳥状に配列するポケット（１２ｆ〜１２ｉ）が設定され、かつ各ポケット（１２ｆ〜１２ｉ）には、食器類（２０ｆ〜２０ｉ）を差し込むための開口（１３ｆ〜１３ｉ）が設けられていることを特徴とする食器類の梱包具。
【請求項５】
前記各ポケット（１２ｆ〜１２ｉ）の開口（１３ｆ〜１３ｉ）は、布地製袋体（１１）の長手方向に沿う２分割ライン（Ｐ）の近傍部分上にほぼ直列状に配列するように開設されていることを特徴とする請求項４に記載の食器類の梱包具。
【請求項６】
前記布地製袋体（１１）は、布地の織製工程において、周縁部（１１ａ）の縫製加工及び仕切用縫製部（１４）の縫製加工が同時に行なわれ、一連の織製工程で開口（１３）を有し、かつ所定のパターンに沿った複数のポケット（１２）を備えるように作製されていることを特徴とする請求項３乃至５のいずれかに記載の食器類の梱包具。
【発明の詳細な説明】
【０００１】
【発明の属する技術分野】
この発明は、引越し作業の際等、食器類を手際良く、かつコンパクトに梱包できる食器類の梱包方法並びに梱包具に関する。
【０００２】
【従来の技術】
一般に、引越し作業時には、大型の家具や大型の電化製品の搬送に多くの労力がとられ、かつ事前に床面や壁面に養生パット等を設置するなど、煩雑な作業を強いられるのが実情であるが、この他に細々とした小物類、例えば食器類を梱包し、かつ安全に搬送するという一連の作業においても、多くの時間と人手をとられている。
【０００３】
例えば、従来では、皿や茶碗類等の食器類を梱包するには、新聞紙、緩衝シート等で食器類の全面を覆い、ダンボール箱等に収容して梱包するという方法が一般的である。
【０００４】
また、専門の引越し業者等では、例えば、図７に示すように、ダンボール箱１等に皿等の食器類２をシート状の緩衝パット３で両面を保護するように順次並列に収容していき、図８に示すように、食器類２を緩衝パット３で挟み付けてダンボール箱１内に収容するという梱包方法がとられている（例えば、特許文献１参照。）。
【０００５】
【特許文献１】
特開平９−２１６６７５号公報  （請求項１、図７）
【０００６】
【発明が解決しようとする課題】
しかしながら、従来の食器類の梱包方法、例えば食器類の全面を新聞紙、緩衝シートで包み込む方法や、あるいは緩衝パット等を食器類の間に挟み込む方法等では、使用済の新聞紙、緩衝シート、あるいは緩衝パット等が不要となり、これらのゴミが大量に発生し、省資源化に逆行するとともに、環境面での問題が多いという欠点が指摘されている。
【０００７】
更に、労力的に見ても個々の食器類の全面を新聞紙、緩衝シートで包み込んだり、ダンボール箱内に緩衝パットで食器類を挟み付けた状態で収容する方法では梱包作業に手間がかかり、作業能率の改善が望まれていた。
【０００８】
この発明は、このような事情に鑑みてなされたもので、皿や茶碗類等の食器類を手際良く、かつ確実に梱包処理でき、しかもゴミ等の発生がなく、環境面にも好適な食器類の梱包方法並びに梱包具を提供することを目的とする。
【０００９】
【課題を解決するための手段】
上記目的を達成するために、本発明は、複数のポケットを直列状に配設してなる長尺状の布地製袋体のポケット内にセット組の食器類を収容する際、隣接するポケットには、食器類の表裏を逆にして収容し、その後、ポケット同士を区画する仕切用縫製部を基に折り畳み方向を正逆方向にしてポケットを順次折り重ねていき、収容する食器類の表裏の方向を統一してコンパクトに収容することを特徴とする。
【００１０】
更に、本発明方法に使用する梱包具は、セット組の食器類をコンパクトに収容できる食器類の梱包具であって、この梱包具は、２枚の布地シートの周縁部が縫製された長尺状の布地製袋体から構成され、この布地製袋体には、直列状に配列するポケットが設定され、かつ各ポケットには食器類を差し込むための開口が設けられていることを特徴とする。
【００１１】
ここで、梱包具として使用する長尺状の袋体の素材は、布地が良く、特に緩衝性を備えたタオル地のものが好適である。
【００１２】
従って、本発明方法によれば、長尺状の布地製袋体の長手方向に沿って直列状に配設されている各ポケット内に順次食器類をその表裏を交互に逆にした状態で収容し、その後、各ポケットの仕切用縫製部を基に正逆方向交互に折り重ねていけば、複数の食器類の表裏を一致させた状態で食器類を各ポケット内に収容でき、かつコンパクトに整列梱包することができる。
【００１３】
また、引越し等が完了した後には、布地製袋体を展開操作し、各ポケット内から食器類を取り出すだけで良く、従来発生していた新聞紙、緩衝シート、あるいは緩衝パット等のゴミが皆無となる。
【００１４】
更に、本発明に係る梱包具は、布地製袋体の幅及び長さ、寸法、あるいはポケットのサイズや数について、皿類や茶碗類等のサイズやセット枚数に合わせた仕様違いのサイズの布地製袋体を用意しておけば、バラエティに富む食器類についても単にポケット内に収容するという単純な方法で梱包作業を統一させることができる。
【００１５】
また、布地製袋体の素材は、布地シートであるため、食器類を柔軟に保護でき、食器類に損傷等を与えることがなく、かつボリューム感のあるタオル地シート等を使用した場合は、特に緩衝効果に優れる。
【００１６】
更に、本発明方法の別の実施形態としては、複数のポケットを千鳥状に配設してなる布地製袋体のポケット内にセット組の食器類の表裏を同一方向に向けて収容し、その後、千鳥状に配設されたポケットが直列状になるように、布地製袋体の短手方向に折半し、その後、仕切用縫製部を基に、各ポケットを順次折り畳み方向を正逆方向として折り重ねていき、収容する食器類の表裏の方向を統一してコンパクトに収容することを特徴とする。
【００１７】
また、上記方法に使用する梱包具は、セット組の食器類をコンパクトに収容できる食器類の梱包具であって、この梱包具は、２枚の布地シートの周縁部が縫製された長尺状の布地製袋体から構成され、この布地製袋体には、千鳥状に配列するポケットが設定され、かつ各ポケットには、食器類を差し込むための開口が設けられていることを特徴とする。
【００１８】
更に、上記梱包具の好ましい実施の態様としては、前記各ポケットの開口は、布地製袋体の長手方向に沿う２分割ラインの近傍部分上にほぼ直列状に配列するように開設されていることを特徴とする。
【００１９】
従って、本発明方法によれば、長尺状の布地製袋体に複数のポケットが千鳥状に配設されており、各ポケット内に食器類の表裏を統一させて収容し、その後、千鳥状に配設したポケットが直列状となるように、長手方向に沿う２分割ラインを基に折り畳み、次いで、ポケットを仕切用縫製部を基に正逆方向に袋体の長手方向に沿って順次折り重ねていけば、複数の食器類の表裏を統一させた状態で食器類を各ポケット内に収容し、かつコンパクトに整列梱包することができる。
【００２０】
更に、本発明方法に使用する梱包具は、千鳥状に配列されているポケット内に食器類の表裏を統一させた状態で収容すれば良いため、ポケット内への食器類の差し込み作業が円滑に行なえる。
【００２１】
また、各ポケットの開口を中央の２分割ラインの近傍部分上にほぼ直列状に設けた場合、食器類を各ポケット内に収容した後、長手方向に沿う２分割ラインを基に二つ折りする際、ポケットの各開口を内部に隠す方向に折り返せば、梱包具の搬送時等、外力や振動が加わっても、食器類が開口から外部に露出することを確実に防止でき、食器類の保護をより確実に行なうことができる。
【００２２】
【発明の実施の形態】
以下、本発明に係る食器類の梱包方法並びに梱包具の好適な実施の形態について、添付図面を参照しながら詳細に説明する。
【００２３】
図１乃至図４は本発明に係る梱包具の一実施形態及びそれを使用する梱包方法を示すもので、図１は梱包具及びその使用方法の概要を示す説明図、図２は食器類を梱包した状態を示す梱包具の平面図、図３は同梱包具の使用形態を示す説明図、図４は梱包具による梱包状態を示す説明図である。また、図５，図６は梱包具の別実施態様を示す各平面図である。
【００２４】
まず、本発明の一実施形態について、図１乃至図３を基に説明する。
【００２５】
図１において、本発明に係る梱包具１０は、タオル地シート等の布地シートを素材とした長尺状の布地製袋体１１から構成され、この布地製袋体１１に複数のポケット（本実施形態では５箇所）１２ａ，１２ｂ，１２ｃ，１２ｄ，１２ｅが直列状に設定され、かつ各ポケット１２ａ，１２ｂ，１２ｃ，１２ｄ，１２ｅに対応する開口１３ａ，１３ｂ，１３ｃ，１３ｄ，１３ｅを備えるように、開口１３ａ〜１３ｅ以外のポケット１２ａ〜１２ｅの残る３辺は周縁部１１ａ及びポケット１２ａ〜１２ｅ同士を区画する仕切用縫製部１４ａ，１４ｂ，１４ｃ，１４ｄとして表裏側の布地シート同士が縫製されている。
【００２６】
この梱包具１０の製作方法としては、２枚の略同一サイズのタオル地シートを用意して、開口１３ａ〜１３ｅを除いた布地製袋体１１の周縁部１１ａ及びポケット１２ａ〜１２ｅを区画する仕切用縫製部１４ａ〜１４ｄをそれぞれミシン縫いや手縫い等により縫い付けても良い。
【００２７】
更に、量産性を考慮した場合には、この布地製袋体１１の布地シート自体を織製する段階で開口１３ａ〜１３ｅを有するポケット１２ａ〜１２ｅを形成できるように、周縁部１１ａ及び仕切用縫製部１４ａ〜１４ｄを一括して織製することで梱包具１０を製作することもできる。
【００２８】
この布地シートとしては、収容する食器類を安全に保護するために緩衝性を備えることが望ましいことから、タオル地シート等を使用するのが良い。
【００２９】
次いで、この梱包具１０を使用した梱包方法の一実施形態について説明する。まず、５枚セット組の皿２０ａ〜２０ｅを梱包具１０のそれぞれ対応するポケット１２ａ〜１２ｅに収容する際、隣接する皿、例えば１枚目の皿２０ａと２枚目の皿２０ｂとがその表裏が逆になるように１枚目の皿２０ａは表側２１を上方に向け、かつ２枚目の皿２０ｂは裏側２２を上方に向けてそれぞれ対応するポケット１２ａ，１２ｂ内に収容する。
【００３０】
同様に、３枚目の皿２０ｃ、４枚目の皿２０ｄ、５枚目の皿２０ｅについてもそれぞれ３枚目の皿２０ｃの表側２１を上方に向け、４枚目の皿２０ｄの裏側２２を上方に向け、更に５枚目の皿２０ｅの表側２１を上方に向け、それぞれ対応するポケット１２ｃ，１２ｄ，１２ｅに収容する。このように、隣接するポケット１２に対して、皿２０ａ〜２０ｅの表裏を交互に逆転させて収容する。
【００３１】
そして、本実施形態による梱包具１０に皿２０ａ〜２０ｅを収容した状態を図２に示す。この状態では、布地製袋体１１の各ポケット１２ａ〜１２ｅ内に収容された皿２０ａ〜２０ｅは、布地製袋体１１の長手方向に沿って直列状に収容され、その表裏は交互に逆転している。
【００３２】
そして、図３に示すように、皿２０ａを収容したポケット１２ａを矢印Ａ方向に仕切用縫製部１４ａを基に第２のポケット１２ｂに対して折り畳む。そして、このように、折り畳んだポケット１２ａ，１２ｂをポケット１２ｃに対して仕切用縫製部１４ｂを基に矢印Ａ方向とは逆方向となる矢印Ｂ方向に折り畳む。その後、折り畳んだポケット１２ａ，１２ｂ，１２ｃを矢印Ｃ方向に仕切用縫製部１４ｃを基に折り畳み、最後に折り畳んだポケット１２ａ，１２ｂ，１２ｃ，１２ｄを仕切用縫製部１４ｄを基に矢印Ｄ方向にポケット１２ｅ側に折り畳む。
【００３３】
従って、５枚セット組の皿２０ａ〜２０ｅの表側２１を上向きに統一した整列状態で梱包具１０により収容でき、図４に示すようにダンボール箱３０内に収容すれば、スペースをとることなくかつ手際良く梱包作業を完了させることができる。
【００３４】
このように、手際良く食器類を梱包することができ、従来のように新聞紙、緩衝シート、あるいは緩衝パット等を不要とでき、ゴミが発生することがないため、環境面においても最適であるとともに、梱包具１０の使用後はクリーニング並びに、望ましくは抗菌処理を施した上で再利用が可能であり、省資源にも適している。また、最終的には、高級ウエスとして使用することもできる。
【００３５】
更に、この梱包具１０のサイズは、大皿、中皿、小皿等、食器類のサイズに合わせて、梱包具１０の幅寸法、長さ寸法及びポケット１２のサイズや数は、適宜バリエーション豊富に設定しておけば、どのようなサイズの食器類でも隣接するポケット１２にそれぞれ表裏を逆転させた状態で収容した後、ポケット１２同士を布地製袋体１１の長手方向に沿って交互に折り返し重合させるという簡単な作業で済むため、梱包作業性に優れるという利点がある。
【００３６】
加えて、本発明に係る梱包具１０を使用すれば、複数枚セット組の食器類の表裏を統一させた状態でコンパクトに梱包処理できるため、簡単に持ち運ぶことができ、搬送、輸送等も円滑に行なえ、しかもスペースを多く必要としないため、省スペース性能にも優れるという利点がある。
【００３７】
次いで、図５は本発明に係る食器類の梱包具１０及びそれを使用した食器類の梱包方法の別実施形態を示す。この梱包具１００は、４枚セット組の皿２０ｆ〜２０ｉをコンパクトに収容できるように、ポケット１２ｆ〜１２ｉが千鳥状に配列されていることが特徴である。
【００３８】
更に詳しくは、この梱包具１００における布地製袋体１１は、長手方向と短手方向の寸法比がほぼ２：１に設定され、千鳥状に配列されているポケット１２ｆ〜１２ｉについては、それぞれ各ポケット１２ｆ〜１２ｉを区画する仕切用縫製部１４ｅ，１４ｆ，１４ｇが布地製袋体１１の短手方向に沿って設けられ、また、布地製袋体１１の長手方向に沿う２分割ライン（図５中Ｐで示す）上に沿って仕切用縫製部１４ｈが設けられていることにより、布地製袋体１１は８つのエリアに分割され、そのうち、２分割ラインＰに沿って左右交互にポケット１２ｆ〜１２ｉを設定することで、千鳥状の配列が可能となる。
【００３９】
そして、千鳥状に配列されたポケット１２ｆ〜１２ｉ内に食器類を差し込み収容するために、対応する開口１３ｆ〜１３ｉが開設されている。この実施形態では、開口１３ｆ〜１３ｉについても千鳥状に設けられている。すなわち、ポケット１２ｆ，１２ｈについては、布地製袋体１１の２分割ラインＰ近傍部分に開口１３ｆ，１３ｈが設定されているとともに、残るポケット１２ｇ，１２ｉについては、布地製袋体１１の周縁部１１ａの近傍部分に開口１３ｇ，１３ｉが設定されている。
【００４０】
次いで、この梱包具１００を使用して、４枚セット組の皿２０ｆ〜２０ｉを梱包する作業について説明すると、各開口１３ｆ〜１３ｉを通して各ポケット１２ｆ〜１２ｉに収容する皿２０ｆ〜２０ｉは、表裏を統一した状態で収容する。尚、本実施形態では、皿２０ｆ〜２０ｉの表側２１を上方向に向けた状態でセットしている。
【００４１】
そして、皿２０ｆ〜２０ｉを千鳥状に配設したポケット１２ｆ〜１２ｉに収容した後、長手方向に沿う布地製袋体１１の２分割ラインＰに沿って内面同士を折り重ねれば、ポケット１２ｆ〜１２ｉは直列状に配置することになり、また、隣接するポケット１２、例えば１２ｆと１２ｇとではその内部に収容される皿２０ｆ，２０ｇ同士は表裏が逆転した状態になる。
【００４２】
ところで、この状態は、前記実施形態と同一であるため、仕切用縫製部１４ｅを基にポケット１２ｆを隣接するポケット１２ｇ側に折り畳み、折り畳んだポケット１２ｆ，１２ｇについては、今度は折り返し方向を逆にした状態で仕切用縫製部１４ｆを基にポケット１２ｈ側に折り畳み、更に、折り返し方向を基に戻し、仕切用縫製部１４ｇを基に三重に折り重ねたポケット１２ｆ，１２ｇ，１２ｈを残るポケット１２ｉ側に折り畳むことで、４枚セット組の皿２０ｆ〜２０ｉを整列状態で梱包具１００に簡単かつ確実に梱包処理できる。
【００４３】
そして、この実施形態においても、従来のように、新聞紙、緩衝シート、あるいは緩衝パット等のゴミが発生することがなく、環境面や省資源上好ましいとともに、特に、各ポケット１２ｆ〜１２ｉに収容する皿２０ｆ〜２０ｉについては表裏方向を統一した状態で収容すれば良いため、梱包作業、すなわち、開口１３ｆ〜１３ｉを通して各ポケット１２ｆ〜１２ｉ内に皿２０ｆ〜２０ｉを差し入れる作業をより円滑に進めることができる。
【００４４】
次いで、図６に示す梱包具１００は、図５に示す梱包具１００の変形例を示すもので、この梱包具１００についても、４枚セット組の皿２０ｆ〜２０ｉを収容するポケット１２ｆ〜１２ｉが千鳥状に配列されているが、上述実施形態と異なる点は、各ポケット１２ｆ〜１２ｉの開口１３ｆ〜１３ｉが中央の２分割ライン（図中Ｐで示す）に沿ってその近傍部分に直列状に開設されていることが特徴である。尚、それ以外の構成については、上述した図５に示す梱包具１００の構成と同一であるため、その詳しい説明は省略する。
【００４５】
そして、図６に示す梱包具１００を使用する場合には、中央の２分割ラインＰを基準として、それぞれ左右交互に配列しているポケット１２ｆ〜１２ｉ内に皿２０ｆ〜２０ｉを収容し、その後、中央のラインＰを基に布地製袋体１１の内面同士を二つ折り状態とすれば、千鳥状に配列されているポケット１２ｆ〜１２ｉは直列状態に規制され、かつ皿２０ｆ〜２０ｉは隣接する皿同士が表裏逆転するため、前述同様、仕切用縫製部１４ｅ〜１４ｇを基に交互に折り返していけば、皿２０ｆ〜２０ｉを梱包具１００によりコンパクトに収容できる。
【００４６】
そして、この梱包具１００によれば、開口１３ｆ〜１３ｉが中央の２分割ラインＰ上に直列状に配置されているため、内面同士が重なるように布地製袋体１１を二つ折り状態としたとき、この開口１３ｆ〜１３ｉが塞がれるため、搬送工程で外力や振動が加わっても、開口１３から食器類が外部に露出、あるいは脱落することがなく、確実な梱包状態を維持できるという利点がある。
【００４７】
【発明の効果】
以上説明した通り、本発明に係る食器類の梱包方法並びに梱包具は、長尺状の布地製袋体に複数のポケットを設け、このポケット内に食器類を収容して各ポケットが重なり合うように折り畳んだ状態では収容される食器類は整列した状態で梱包できるというものであり、従来のように、新聞紙、緩衝シート、あるいは緩衝パット等のゴミが発生することがなく、環境面で優れるとともに、クリーニング処理を行なえば繰り返し使用が可能であるため、省資源化にも最適であるという効果を有する。
【００４８】
更に、本発明に係る食器類の梱包方法並びに梱包具は、長尺状の布地製袋体に複数のポケットを設け、このポケット内に食器類を収容して各ポケットが重なり合うように折り畳んだ状態では収容される食器類は整列した状態で梱包できるというものであり、簡単な作業で手際良く、かつ確実な食器類の保護が可能となり、梱包作業性に優れるとともに、コンパクトな梱包が可能となることから、搬送等も円滑に行なえ、かつ省スペースにも貢献できるという種々の効果を有する。
【図面の簡単な説明】
【図１】本発明に係る食器類の梱包具並びに梱包方法の一実施形態を示す説明図である。
【図２】図１に示す梱包具に食器類を収容した状態を示す平面図である。
【図３】図１に示す梱包具を使用した梱包方法における梱包具の折り畳み操作手順を示す説明図である。
【図４】図１に示す梱包具を使用した食器類の梱包作業を完了させた状態を示す説明図である。
【図５】本発明に係る食器類の梱包具の別実施形態を示す平面図である。
【図６】図５に示す梱包具の変形例を示す平面図である。
【図７】従来の食器類の梱包方法を示す説明図である。
【図８】従来の食器類の梱包構造を示す説明図である。
【符号の説明】
１０，１００  梱包具
１１  布地製袋体
１１ａ  周縁部
１２（１２ａ〜１２ｉ）  ポケット
１３（１３ａ〜１３ｉ）  開口
１４（１４ａ〜１４ｈ）  仕切用縫製部
２０（２０ａ〜２０ｉ）  皿
２１  表側
２２  裏側
３０  ダンボール箱
Ｐ  ２分割ライン（長手方向に沿う）
【図１】
2004262526.tif 000003
【図２】
2004262526.tif 000004
【図３】
2004262526.tif 000005
【図４】
2004262526.tif 000006
【図５】
2004262526.tif 000007
【図６】
2004262526.tif 000008
【図７】
2004262526.tif 000009
【図８】
2004262526.tif 000010